(57)【要約】【課題】  タッチパネルのファンクションエリアオーバラップ検出方法の提供。【解決手段】  使用者がタッチパネル上の二つ以上のファンクションエリアのオーバラップエリアに接触する時、物品の接触時間、物品の移動量及び物品が最後に停留するエリア等の方式により使用者が起動したい機能を判断する。【選択図】        図６
2007004763.tif 000002
【特許請求の範囲】
【請求項１】
タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
該物品のオーバラップエリアとの接触時間を計算するステップ、
を包含し、該接触時間が参考時間より大きければ、第１ファンクションエリアの機能をトリガし、大きくなければ第２ファンクションエリアの機能をトリガすることを特徴とする、タッチパネルのファンクションエリアオーバラップ検出方法。
【請求項２】
タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
該物品の移動量を計算するステップ、
該物品の該オーバラップエリアとの接触時間を計算するステップ、
を包含し、該接触時間が参考時間より大きく且つ該移動量が参考値より小さければ、第１ファンクションエリアの機能をトリガし、該移動量が参考値より大きいか又は該移動量が該参考値より大きくなく且つ接触時間が参考時間より大きくなければ、第２ファンクションエリアの機能をトリガすることを特徴とする、タッチパネルのファンクションエリアオーバラップ検出方法。
【請求項３】
タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
物品がタッチパネルを離れた時、物品が物品が停留した最後のエリアを確認するステップ、
を包含し、物品が停留した最後のエリアがコーナーファンクションエリア或いはオーバラップエリアであれば該第１ファンクションエリアの機能をトリガし、以上の状況が成立しなければ該第２ファンクションエリアの機能をトリガすることを特徴とする、タッチパネルのファンクションエリアオーバラップ検出方法。
【請求項４】
タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
該物品の移動量を計算するステップ、
物品がタッチパネルを離れた時、物品が物品が停留した最後のエリアを確認するステップ、
を包含し、物品の最後に停留したエリアがオーバラップエリア或いは第１ファンクションエリアであり且つ移動量が参考値より小さければ、第１ファンクションエリアの機能をトリガし、以上の状況が成立しなければ第２ファンクションエリアの機能をトリガすることを特徴とする、タッチパネルのファンクションエリアオーバラップ検出方法。
【発明の詳細な説明】
【技術分野】
【０００１】
本発明はタッチパネルのファンクションエリアオーバラップ検出方法に関する。
【背景技術】
【０００２】
現在、タッチパネルは広くポータブルコンピュータ、携帯情報端末、携帯電話或いはその他の電子システムを包含する電子製品に応用されている。タッチパネルは使用者の手指或いは導電性物品（例えばタッチペン）をパネル上で滑らせるか或いは接触させてカーソルに相対移動或いは絶対座標移動を発生させ、及び、その他の延伸性機能、例えばキー機能シミュレートをサポートする輸入装置である。操作エリアで更に多様な機能をサポートするため、エリア分割の概念がある。
【０００３】
図１は周知のコーナーファンクション（Ｃｏｒｎｅｒ  Ｆｕｎｃｔｉｏｎ）を具えたタッチパネル１０を示し、それは四つのコーナーファンクションエリアＣＲ１、ＣＲ２、ＣＲ３、ＣＲ４を包含し、これらのファンクションエリアはいずれもコーナーエリアに置かれ、ゆえにコーナーファンクションエリアと称される。一般にコーナーファンクションエリアＣＲ１、ＣＲ２、ＣＲ３、ＣＲ４は仮想キーとして用いられ、手指１２でコーナーファンクションエリアＣＲ１、ＣＲ２、ＣＲ３、ＣＲ４上を軽く叩くことで、エリアに対応する機能をトリガできる。
【０００４】
図２は周知のスクロールファンクションエリアＳＣＲＯＬＬ１、ＳＣＲＯＬＬ２を具えたタッチパネル２０を示し、使用者の手指１２をスクロールファンクションエリアＳＣＲＯＬＬ１、ＳＣＲＯＬＬ２上でスライドさせることで、ウインドウ上のスクロールバーをスクロールさせられる。
【０００５】
しかし、タッチパネルの面積は有限であるため、付加の機能が多過ぎる時、そのうち一つのファンクションエリアがオーバラップせざるを得なくなることがあり、この時、使用者が使用したい機能を区別できる検出方法が必要となる。
【０００６】
図３はコーナーファンクションエリアとスクロールファンクションエリアを具えた周知のタッチパネル３０を示し、そのうち、コーナーファンクションエリアＣＲ１、ＣＲ２、ＣＲ３とスクロールファンクションエリアＳＣＲＯＬＬ１、ＳＣＲＯＬＬ２はオーバラップし、周知の方法では軽く叩く動作によりコーナーファンクションエリアＣＲ１、ＣＲ２、ＣＲ３の機能をトリガするが、タッチパネルは通常ケースに嵌め込まれ、ケースが僅かに隆起しており、コーナーファンクションエリアＣＲ１、ＣＲ２、ＣＲ３が図４にコーナーに位置するため、手指１２の軽く叩く動作が不明確となることがあり、特に慣れていない使用者は誤動作を発生しやすく、更に図５に示されるように、手指１２がタッチパネル３０に接触する瞬間にも手指１２の角度変換によりタッチパネル３０が移動量を検出し、これによりタッチパネル３０に誤判断させてスクロールバーのスクロール機能をトリガしてしまうことがある。
【０００７】
このため正確なファンクションエリアのオーバラップ検出方法が望まれている。
【発明の開示】
【発明が解決しようとする課題】
【０００８】
本発明の目的は、一種のタッチパネルのファンクションエリアオーバラップ検出方法を提供することにある。
【０００９】
本発明によると、タッチパネルのファンクションエリアオーバラップ検出方法は、使用者がタッチパネル上の二つ以上のファンクションエリアのオーバラップエリアに接触する時、物品の接触時間、物品の移動量及び物品が最後に停留するエリア等の方式により使用者が起動したい機能を判断する。
【課題を解決するための手段】
【００１０】
請求項１の発明は、タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
該物品のオーバラップエリアとの接触時間を計算するステップ、
を包含し、該接触時間が参考時間より大きければ、第１ファンクションエリアの機能をトリガし、大きくなければ第２ファンクションエリアの機能をトリガすることを特徴とする、タッチパネルのファンクションエリアオーバラップ検出方法としている。
請求項２の発明は、タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
該物品の移動量を計算するステップ、
該物品の該オーバラップエリアとの接触時間を計算するステップ、
を包含し、該接触時間が参考時間より大きく且つ該移動量が参考値より小さければ、第１ファンクションエリアの機能をトリガし、該移動量が参考値より大きいか又は該移動量が該参考値より大きくなく且つ接触時間が参考時間より大きくなければ、第２ファンクションエリアの機能をトリガすることを特徴とする、タッチパネルのファンクションエリアオーバラップ検出方法としている。
請求項３の発明は、タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
物品がタッチパネルを離れた時、物品が物品が停留した最後のエリアを確認するステップ、
を包含し、物品が停留した最後のエリアがコーナーファンクションエリア或いはオーバラップエリアであれば該第１ファンクションエリアの機能をトリガし、以上の状況が成立しなければ該第２ファンクションエリアの機能をトリガすることを特徴とする、タッチパネルのファンクションエリアオーバラップ検出方法としている。
請求項４の発明は、タッチパネルのファンクションエリアオーバラップ検出方法において、該タッチパネルは第１ファンクションエリアと第２ファンクションエリアのオーバラップエリアを具え、この方法は、
物品のオーバラップエリアとの接触を確認するステップ、
該物品の移動量を計算するステップ、
物品がタッチパネルを離れた時、物品が物品が停留した最後のエリアを確認するステップ、
を包含し、物品の最後に停留したエリアがオーバラップエリア或いは第１ファンクションエリアであり且つ移動量が参考値より小さければ、第１ファンクションエリアの機能をトリガし、以上の状況が成立しなければ第２ファンクションエリアの機能をトリガすることを特徴とする、タッチパネルのファンクションエリアオーバラップ検出方法としている。
【発明の効果】
【００１１】
本発明は一種のタッチパネルのファンクションエリアオーバラップ検出方法を提供し、それによると、タッチパネルのファンクションエリアオーバラップ検出方法は、使用者がタッチパネル上の二つ以上のファンクションエリアのオーバラップエリアに接触する時、物品の接触時間、物品の移動量及び物品が最後に停留するエリア等の方式により使用者が起動したい機能を判断する。
【発明を実施するための最良の形態】
【００１２】
図６は本発明の第１実施例を示す。図３及び図６を参照されたい。まず、ステップ４０において、物品のコーナーファンクションエリアとスクロールファンクションエリアのオーバラップエリア、例えばコーナーファンクションエリアＣＲ１とスクロールファンクションエリアＳＣＲＯＬＬ１のオーバラップエリア３２との接触を確認する。続いてステップ４２でオーバラップエリアとの接触時間を計算する。続いてステップ４４で接触時間が参考時間より大きいか否かを判断し、大きくなければ、ステップ４６を実行してスクロールファンクションエリアＳＣＲＯＬＬ１の機能をトリガし、大きければ、ステップ４８を実行してコーナーファンクションエリアＣＲ１の機能をトリガする。
【００１３】
図７は本発明の第２実施例を示す。図３及び図７に示されるように、まずステップ５０で物品のコーナーファンクションエリアＣＲ１とスクロールファンクションエリアＳＣＲＯＬＬ１のオーバラップエリア３２との接触を確認する。続いてステップ５２で物品のタッチパネル３０上での移動量を計算し、続いてステップ５４で該移動量が参考値より大きいかを判断し、もし大きければ、ステップ５６でスクロールファンクションエリアＳＣＲＯＬＬ１の機能をトリガし、反対に大きくなければ、ステップステップ５８を実行して物品のオーバラップエリアとの接触時間を計算し、続いてステップ６０で接触時間が参考時間より大きいかを判断し、大きくなければ、ステップ５６を実行し、大きければ、ステップ６２を実行してコーナーファンクションエリアＣＲ１の機能を実行する。
【００１４】
図８は本発明の第３実施例を示す。図３及び図８を参照されたい。まず、ステップ７０で物品のコーナーファンクションエリアＣＲ１とスクロールファンクションエリアＳＣＲＯＬＬ１のオーバラップエリア３２との接触を確認する。続いてステップ７２で物品がタッチパネルを離れた時、物品が物品が停留した最後のエリアを確認し、続いてステップ７４で物品が停留した最後のエリアがコーナーファンクションエリアＣＲ１或いはオーバラップエリア３２であるかを判断し、もしコーナーファンクションエリアＣＲ１或いはオーバラップエリア３２でなければステップ７６を実行してスクロールファンクションエリアＳＣＲＯＬＬ１の機能をトリガし、もしコーナーファンクションエリアＣＲ１或いはオーバラップエリア３２であればステップ７８を実行してコーナーファンクションエリアＣＲ１の機能をトリガする。
【００１５】
図９は本発明の第４実施例を示す。図３と図９を参照されたい。まず、ステップ８０で物品のコーナーファンクションエリアＣＲ１とスクロールファンクションエリアＳＣＲＯＬＬ１のオーバラップエリア３２との接触を確認する。続いてステップ８２で物品のタッチパネル３０上での移動量を計算し、続いてステップ８４で該移動量が参考値より大きいかを判断し、もし大きければ、ステップ８６でスクロールファンクションエリアＳＣＲＯＬＬ１の機能をトリガし、反対に大きくなければ、ステップステップ８８を実行して物品がタッチパネルより離れる時に物品が停留した最後のエリアを確認し、続いてステップ９０で物品が停留した最後のエリアがコーナーファンクションエリアＣＲ１或いはオーバラップエリア３２であるかを判断し、もしコーナーファンクションエリアＣＲ１或いはオーバラップエリア３２でなければステップ８６を実行し、もしコーナーファンクションエリアＣＲ１或いはオーバラップエリア３２であれば、ステップ９２でコーナーファンクションエリアＣＲ１の機能を実行する。
【００１６】
上述の各実施例ではコーナーファンクションエリアとスクロールファンクションエリアのオーバラップにより説明しているが、その他の実施例でその他のファンクションエリアの重畳に応用される時も、これによりトリガが必要な機能を判断する。
【図面の簡単な説明】
【００１７】
【図１】周知のコーナーファンクションエリアを具えたタッチパネルの表示図である。
【図２】周知のスクロールファンクションを具えたタッチパネルの表示図である。
【図３】コーナーファンクションエリアとスクロールファンクションエリアを具えたタッチパネルの表示図である。
【図４】タッチパネルがケースに嵌め込まれた状態表示図である。
【図５】手指がタッチパネルに接触する状態表示図である。
【図６】本発明の第１実施例図である。
【図７】本発明の第２実施例図である。
【図８】本発明の第３実施例図である。
【図９】本発明の第４実施例図である。
【符号の説明】
【００１８】
１０  タッチパネル
１２  手指
２０  タッチパネル
３０  タッチパネル
３２  オーバラップエリア
【図１】
2007004763.tif 000003
【図２】
2007004763.tif 000004
【図３】
2007004763.tif 000005
【図４】
2007004763.tif 000006
【図５】
2007004763.tif 000007
【図６】
2007004763.tif 000008
【図７】
2007004763.tif 000009
【図８】
2007004763.tif 000010
【図９】
2007004763.tif 000011